(57)【要約】【課題】  回転多面鏡を用いた画像形成装置において、ｆθレンズの走査方向に対する表面温度の偏りを低減して、片倍率変動を抑制する。【解決手段】  回転多面鏡と樹脂製のｆθレンズの間に、回転多面鏡モータの回転により生じてｆθレンズに吹き付けられる気流を、案内又は制限する手段を設け、ｆθレンズの走査方向に吹き付けられる気流の風量が増大するように構成する。前記案内又は制限手段は、ｆθレンズの近傍、かつスキャナケース又はケースのカバー手段の何れかに設ける。【選択図】  図１
2007233279.tif 000002
【特許請求の範囲】
【請求項１】
感光体と、光源手段から射出される光ビームを偏向走査する回転多面鏡及びその回転駆動手段と、偏向走査された光ビームを感光体上に結像させる結像レンズを設けた光ビーム走査手段とを有する画像形成装置において、前記回転多面鏡及び回転多面鏡回転駆動手段が回転することで生じて結像レンズに吹き付けられる気流の風量が、結像レンズの走査方向下流側の方が大きくなるように、気流を案内又は制限する手段を設けたことを特徴とする画像形成装置。
【請求項２】
請求項１に記載の画像形成装置において、気流を案内又は制限する手段は、光ビーム走査手段の収容ケース又は収容ケースのカバー手段の一方又は両方に設けたことを特徴とする画像形成装置。
【請求項３】
請求項１に記載の画像形成装置において、気流を案内又は制限する手段は、少なくとも一部が回転多面鏡と結像レンズの間にあって、回転多面鏡より結像レンズに近い位置に設けたことを特徴とする画像形成装置。
【請求項４】
請求項１、又は請求項２に記載の画像形成装置において、該気流の案内又は制限する手段は、結像レンズの長手方向に傾きを持った、壁手段であることを特徴とする画像形成装置。
【請求項５】
請求項１、又は請求項２に記載の画像形成装置において、該気流の案内又は制限する手段は、収容ケース又は収容手段のカバー手段の少なくとも一方に設け、結像レンズに沿った案内壁であることを特徴とする画像形成装置。
【請求項６】
請求項１、又は請求項２に記載の画像形成装置において、該気流の案内又は制限する手段は、走査方向に開口量が大きくなる開口窓であることを特徴とする画像形成装置。
【請求項７】
請求項１、又は請求項２に記載の画像形成装置において、該気流の案内又は制限する手段は、２つ以上の分割フィンからなることを特徴とする画像形成装置。
【請求項８】
請求項１、又は請求項２に記載の画像形成装置において、該気流の案内又は制限する手段は、収容ケースの壁部に一体的に設けられたことを特徴とする画像形成装置。
【請求項９】
請求項１、又は請求項２に記載の画像形成装置において、該気流の案内又は制限する手段は、収容ケース又は収容ケースのカバー手段の少なくとも一方に設け、走査方向に高さを低くした遮蔽手段であることを特徴とする画像形成装置。
【請求項１０】
請求項１に記載の画像形成装置において、光ビーム走査手段の該気流が吹き付けられる結像レンズは、樹脂材により構成されていることを特徴とする画像形成装置。
【請求項１１】
請求項１に記載の画像形成装置において、複数の像担持体に、夫々光ビームを走査可能な一乃至像担持体と同数の光ビーム走査手段を有することを特徴とする画像形成装置。
【請求項１２】
請求項１に記載の画像形成装置において、回転多面鏡及び回転多面鏡回転駆動手段は、結像レンズを１壁とした略密閉空間内に設けられたことを特徴とする画像形成装置。
【発明の詳細な説明】
【技術分野】
【０００１】
本発明は、複写機を始め、ファクシミリやコンピュータ等の出力部を構成するレーザプリンター記録の構成に関するものである。
【背景技術】
【０００２】
従来より電子写真を採用した画像形成装置においては像担持体としての感光体を帯電器により帯電し、この感光体に画像情報に応じた光照射を行って潜像を形成し、この潜像を現像器によって現像して得た現像像をシート材等に転写して画像を形成することが行われている。
【０００３】
一方、画像のカラー化にともなって、これらの各画像形成プロセスがなされる像担持体を複数備えて、シアン像、マゼンタ像、イエロー像、好ましくはブラック像の各色像をそれぞれの像担持体に形成し、各像担持体の転写位置にてシート材に各色像を重ねて転写することによりフルカラー画像を形成する画像形成装置も提案されている。
【０００４】
かかるフルカラー画像形成装置は各色毎にそれぞれの画像形成部を有する為、高速化に有利である。また、シート材の搬送経路を直線上に構成できるため、厚紙やトラペンシート材に対して、適応性がある等の長所を有する。
【０００５】
上記のような複写機において、感光体に画像情報に基づく光照射は、図１９に上視図、図２０に正面からの断面図を示すようなレーザ走査ユニットにより行われている。図１９及び図２０において、レーザ走査ユニット５０１は、本体のメインフレームに直接固定されたスキャナケース９０の中に配置されている。その詳細は１９−１の半導体レーザから発光されるレーザ光路に従って、コリメータレンズ１９−３、シリンドリカルレンズ１８、ポリゴンミラー１１−１、ｆθレンズ１２、１３と、一部別経路で書き出し信号検知手段の、レンズ１５、ミラー１４、センサ１６から構成されている。ここでｆθレンズ１２、１３には非球面のプラスチックレンズを用い、安価で高精度なレーザ光の結像を実現している。
【０００６】
また、上記のような複数の像担持体を有するフルカラー画像形成装置においては、各像担持体上で形成される画像位置を検出し、最終的に転写材上にて複数色の画像位置が一致するように、画像の書き出し位置を修正する手段が行われている。
【０００７】
ところで、上記のような複写機のレーザ走査ユニットにおいては、ポリゴンミラー１１−１及びその回転駆動手段であるブラシレスモータ１１−２が回転する際に図１９に矢印にて示すような気流が発生し、ポリゴンミラー自身やレンズ等の光学部品を汚す課題を生じる。そこでその課題を防ぐため、スキャナケース９０内で、ケース自身の壁、上蓋、レンズ及びシール部材によりポリゴンミラーを含む空間９５を密閉化し、外部からの塵・埃及び複写機の現像剤が侵入することを防止するとともに、スキャナケース内で空間９５外の光学部品にも前記気流が遮断されることで汚れの防止を実現している。しかしながら、駆動基板１１−４及び駆動ＩＣ１１−３を含むブラシレスモータ１１からは、駆動に伴い発熱があり、前記のような密閉化を行うことにより空間９５に熱が篭り、ブラシレスモータ１１近傍の温度上昇した気流が特にｆθレンズ１２の図１９のＡ側（図中左側）に多く吹き付けられ、走査方向に不均一にｆθレンズ１２を昇温させることで、レーザ走査ユニットの走査方向の画像倍率が不均一になる、所謂片倍率不良を生じることがある。
【０００８】
また、整列する像担持体の間隔の、限られたスペースに、レーザ走査ユニット５０１を並べて配置するため、ブラシレスモータ１１とスキャナケース９０のｆθレンズ１２の反対側には十分なスペースを確保することができず、モータ近傍の温度上昇は顕著となる。
【０００９】
ここで、片倍率不良について詳しく説明すると、図２１においてシート材Ｓおいて、レーザ走査ユニットの走査方向ＳＣに対し、本来、各画像端部Ｅ１、Ｅ２と画像中心Ｃ０の距離は夫々Ｌ０となる。ところが、片倍率不良の場合上記各画像端部Ｅ１、Ｅ２と画像中心Ｃ１の距離Ｌ１、Ｌ２がＬ１≠Ｌ２となるもので、特に複数の像担持体を有するフルカラー画像形成装置においては片倍率が変動すると色ずれの原因となり問題が顕在化する。この片倍率不良はレンズが長手方向に不均一に温度上昇すると、結像性能が不均一となり生じる。さらに、この現象は、ガラスより線膨張係数が大きいプラスチックレンズでは顕著となる。
【００１０】
図１９、図２０の従来例のレーザ走査ユニットにおいては、ｆθレンズ１２の表面温度差が図１９のＡ、Ｂ間で最大４ｄｅｇ以上となり、これにより片倍率差（Ｌ１とＬ２の差）が６０μｍ以上変動し、画素密度１２００ＤＰＩの従来例のレーザ走査ユニットにおいては約３画素の画素ずれとなった。
【００１１】
このような問題に対して、特許文献１ではポリゴンミラー及びモータの周囲を透明な仕切り部材で覆い、また、特許文献２では、ポリゴンミラーの近傍に突出した遮蔽板を設けている。
【特許文献１】特開平９−１９７３３０号公報
【特許文献２】特開２００４−２８７２７１号公報
【発明の開示】
【発明が解決しようとする課題】
【００１２】
しかしながら，上記特許文献１では、ポリゴンミラー近傍を覆う透明部材を設けた場合、感光体上のレーザ光の結像性能が乱れたり、またそれを防止する為には、極めて高精度な透明部材を設けることが必要である。また、ポリゴンミラーを高速回転化すると、透明部材からなるカバーの内部が高温となり、別途冷却手段が必要となる問題がある。
【００１３】
一方、上記特許文献２では、ポリゴンミラー近傍に、気流を剥離する突壁を設けることにより、騒音の増大や、モータの回転ムラが増大することが問題となる。また、結像レンズに温度上昇した気流が偏り吹き付けられ、結像レンズは偏って昇温する問題がある。
【課題を解決するための手段】
【００１４】
本発明は上述の点に鑑みなされたものであって、感光体と、光源手段から射出される光ビームを偏向走査する回転多面鏡及びその回転駆動手段と、偏向走査された光ビームを感光体上に結像させる結像レンズを設けた光ビーム走査手段とを有する画像形成装置において、前記回転多面鏡及び回転多面鏡回転駆動手段が回転することで生じて結像レンズに吹き付けられる気流の風量が、結像レンズの走査方向下流側の方が大きくなるように、気流を案内又は制限する手段を設けたことを特徴としている。
【００１５】
また、気流を案内又は制限する手段は、光ビーム走査手段の収容ケース又は収容ケースのカバー手段の一方又は両方に設けたことを特徴としている。
【００１６】
また、気流の案内又は制限する手段は、結像レンズの長手方向に傾きを持った、壁手段であることを特徴としている。
【００１７】
また、気流の案内又は制限する手段は、収容ケース又は収容手段のカバー手段の少なくとも一方に設け、結像レンズに沿った案内壁であることを特徴としている。
【００１８】
また、気流の案内又は制限する手段は、走査方向に開口量が大きくなる開口窓であることを特徴としている。
【００１９】
また、気流の案内又は制限する手段は、２つ以上の分割フィンからなることを特徴としている。
【００２０】
また、気流の案内又は制限する手段は、収容ケースの壁部に一体的に設けられたことを特徴としている。
【００２１】
また、気流の案内又は制限する手段は、収容ケース又は収容ケースのカバー手段の少なくとも一方に設け、走査方向に高さを低くした遮蔽手段であることを特徴としている。
【００２２】
また、気流を案内又は制限する手段は、少なくとも一部が回転多面鏡及び回転多面鏡回転駆動手段の間にあって、回転多面鏡より結像レンズに近い位置に設けたことを特徴としている。
【００２３】
また、光ビーム走査手段の該気流が吹き付けられる結像レンズは、樹脂材により構成されている。
【００２４】
また、複数の像担持体に、夫々光ビームを走査可能な一乃至像担持体と同数の光ビーム走査手段を有することを特徴とする。
【００２５】
また、回転多面鏡及び回転多面鏡回転駆動手段は、結像レンズを１壁とした略密閉空間内に設けられたことを特徴とする。
【００２６】
（作用）
本構成によれば、結像レンズに吹き付けられる昇温した気流を効果的に案内又は制限することができ、結像レンズの走査方向の偏った表面温度分布の発生を低減することができる。そして、これによりレーザ走査ユニットの片倍率変動を低減できる。
【００２７】
また、ポリゴンモータに発生する気流の流れ方向を用いることで、効果的に気流の案内又は制限が可能となる。
【００２８】
また、簡単な構成で気流の案内又は制限が可能となる。
【００２９】
また、気流の案内又は制限手段を回転多面鏡より結像レンズ側に設けることで、確実に気流の案内又は制限が行えることと、気流の案内又は制限する手段を設けるに必要なスペースを結像レンズ側に配置させることで、回転多面鏡の近傍に生じる高速気流を剥離することが無いので、回転多面鏡に対する圧力変動が低減され高精度な回転多面鏡の回転制御が可能となり、また、回転多面鏡の面数に関して生じる高周波数の騒音が悪化することが無い。
【００３０】
また、樹脂製の結像レンズは、レンズの偏昇温による片倍率変動の敏感度が高いので、レンズの偏昇温の抑制は効果的である。
【００３１】
また、複数の像担持体を有する画像形成装置に対しては、構成として生じやい結像レンズの偏昇温を低減でき、また色ズレの改善ができるので、効果的である。
【００３２】
また、略密閉空間を設けたレーザ走査装置に対しては、回転多面鏡及び回転多面鏡回転駆動手段近傍の温度上昇が大きいので、効果的である。
【発明の効果】
【００３３】
本発明によれば、以上の構成により、シート材上に作成される画像の片倍率の変動が抑制でき、フルカラー画像形成装置においてはレーザ走査ユニットの走査方向の色ずれが低減できる。また、回転多面鏡の高精度回転制御を実現することができ、また低騒音化も可能となる。そして、以上の効果により、回転多面鏡の高速化が可能となり、フルカラー画像形成装置の高速化や、画像の高密度化が実現できる。
【発明を実施するための最良の形態】
【００３４】
次に、本発明の詳細を実施例の記述に従って説明する。
【実施例１】
【００３５】
以下、好ましい実施例に基づき、本発明の第１の実施例を説明する。
【００３６】
図１、図２は第１の実施例におけるレーザ走査ユニットの概略図であり、図５は第１の実施例を示すデジタルフルカラー複写機の概略図である。まず図５を用いて本実施例のデジタルフルカラー複写機のコピー動作について説明する。図中８は原稿読み取り部で、１０はフルカラー画像形成部である。１０のフルカラー画像形成部には４つの画像ステーションが配置され、各画像形成ステーションは像担持体として感光ドラム２ａ、２ｂ、２ｃ、２ｄを有する。
【００３７】
また、その周りには専用の帯電手段（３ａ、３ｂ、３ｃ、３ｄ）、画像情報に応じた光を感光ドラムに照射するためのレーザ走査ユニット（１ａ、１ｂ、１ｃ、１ｄ）、現像手段（５ａ、５ｂ、５ｃ、５ｄ）、ドラムクリーニング手段（４ａ、４ｂ、４ｃ、４ｄ）、転写手段（６ａ、６ｂ、６ｃ、６ｄ）がそれぞれ配置されている。また、５１ａ〜ｄは現像手段４ａ〜ｄの夫々１対１に対応した現像剤容器で、レーザ走査ユニット１ａ〜ｄの水平部の直下で、かつ、垂直部に並んで設けられており、円柱形状の現像剤カートリッジを着脱することにより現像剤の補給を行うものである。ここで画像形成ステーションＰａ、Ｐｂ、Ｐｃ、Ｐｄは夫々シアン画像、マゼンタ画像、イエロー画像、ブラック画像を形成するところである。
【００３８】
一方、各画像形成ステーションＰａ〜Ｐｄを通過する態様で感光ドラム２ａ、２ｂ、２ｃ、２ｄの下方に無端ベルト状の中間転写ベルト６１が配置され、その中間転写ベルト６１は駆動ローラ６２と従動ローラ６３及び６５に張架され、さらに、その表面を清掃するクリーニング手段６４が設けられている。
【００３９】
かかる構成において、まず第１画像形成ステーションＰａの帯電手段３ａ、レーザ走査ユニット１ａによる露光、等の公知の電子写真プロセス手段により感光ドラム２ａ上に画像情報のシアン成分の潜像を形成した後、該潜像は現像手段５ａでシアントナーを有する現像剤によりシアントナー像として可視像化され転写手段６ａでシアントナー像が中間転写ベルト６１の表面に転写される。
【００４０】
一方、上記シアントナー像が中間転写ベルト６１上に転写されている間に第２の画像形成ステーションＰｂではマゼンタ成分色の潜像が形成され、続いて現像手段４ｂでマゼンタトナーによるトナー像が得られ、先の第１画像形成ステーションＰａで転写が終了した中間転写ベルト６１に転写手段６ｂにて精度よくマゼンタトナー像が重ねて転写される。
【００４１】
以下、イエロー像、ブラック像についても同様な方法で画像形成が行われ、中間転写ベルト６１に４色のトナー像の重ね合せが終了すると、中間転写ベルト上の４色トナー像は２次転写ローラ６６にて、給紙カセット７０内にあって給紙ローラ７１及び搬送ローラ対７２、レジストローラ対７３によりタイミングを合せて搬送されたシート材Ｓ上に再び転写（２次転写）される。そして、２次転写が終了したシート材Ｓは定着ローラ対７４で転写されたトナー像が加熱定着され、シート材Ｓにフルカラー画像が得られる。
【００４２】
なお、転写が終了した夫々の感光ドラム２ａ〜ｄはクリーニング手段４ａ〜ｄで各ドラムから残留トナーが除去され、引き続き行われる像形成に備えられる。
【００４３】
次に、レーザ走査ユニット１ａ〜ｄについてその詳細を説明する。レーザ走査ユニット１ａ〜ｄは全て同構成からなっている。図１、図２において１９は光源ユニットで、レーザ発光ダイオード１９−１及びその駆動電気基板１９−２と、コリメータレンズ鏡筒１９−３から構成されており、１８はシリンダーレンズで、９０−４はスキャナケース９０に設けた開口しぼりで、１１はポリゴンモータで、レーザ光を偏向し走査するポリゴンミラー１１−１、ブラシレスモータ１１−２、駆動ＩＣ１１−３を搭載した駆動回路１１−４から構成され、１２及び１３はレーザ光を感光ドラム上に所定のスポット径で結像するｆθレンズ、１７は反射ミラーである。また、１６は感光ドラム上に１ライン毎のレーザ光書き込みタイミングをとるビームディテクター（以下ＢＤ）で、１４はＢＤの為の反射ミラー、１５はＢＤの為の結像レンズである。また、レーザ走査ユニット１ａ〜ｄは夫々画像形成装置本体の水平面、若しくは多少の傾斜をもったステイ上に上方から取付けられており、光源ユニットからポリゴンミラーを含み反射ミラーまでのレーザ光束路が水平、若しくは多少の傾斜をもって配置される。９５はポリゴンモータ１１を含む密閉化された空間で、スキャナケースに設けた壁と、上蓋９１と、ｆθレンズ１２と、ＢＤレンズ１５と、各レンズと上蓋の隙間を埋めるように設けた独立発砲のモルトプレーンからなるシール材９２とで、覆われている。
【００４４】
ここで、第１の実施例のポリゴンモータ１１は、外接円径φ２５の４面ポリゴンミラー１１−１と、ブラシレスモータ１１−２の外径がφ３０のロータ部を用いており、ポリゴンミラーの外接円径より前記ロータ部の外径の方が大きいことで、ポリゴンモータ１１から生じる気流は図４の（ａ）に示すように、鉛直方向には下方に流れる性質を持つ。従って、レーザ走査ユニット１内では、図１７に示すように水平方向にはポリゴンミラーの回転方向に外側に広がる方向に向う流れと合成するように気流が流れる。
【００４５】
次に本発明第１の実施例であり、ポリゴンミラーとｆθレンズの間に設けた気流案内手段について説明する。図３はスキャナケース９０と上蓋９１の一部を破断したレーザ走査ユニット１の部分斜視図であり、図３において９０−１はポリゴンモータの取付け面から滑らかなテ―パを持って立ち上がったスキャナケースに設けた斜面で、図１に示すように平面図においてｆθレンズ１２に対し傾きを持って配置している。これにより、ポリゴンモータの回転時は、前述したポリゴンモータ１１から生じる気流が、スキャナケースの底面にから９０−１の斜面沿って昇る流路に対し、走査方向にｆθレンズ１２の開口部が拡大するように構成する。また、上蓋９１の一部には、前記斜面９０−１よりｆθレンズ側に上蓋９１の一部形状である壁９１−１を上方から下方に伸ばし、前記斜面に沿って上昇する気流の一部を上方で走査方向に案内する。そして、これらの構成により、ｆθレンズ１２に吹き付けられる気流の風量が、走査方向に大きくなるようにしている。
【００４６】
図６は複写機内の１ａのレーザ走査ユニットでｆθレンズ１２の温度上昇が平衡状態になった時点での、レーザ走査ユニット１内の各部の表面温度を示すものであり、また図６には図１７の従来例の同条件の表面温度も併記する。図６において、従来例ではｆθレンズ１２の表面温度Ａ、Ｂの温度差は４ｄｅｇ以上だが、実施例１では０．５ｄｅｇになっており、片倍率の変動も１０μｍ以下で、１２００ＤＰＩの画素密度に対し１画素より十分小さい。
【００４７】
尚、図５のフルカラー画像形成装置本体では、各レーザ走査ユニット毎に定着ローラ対７４等の本体内の熱源との位置関係からユニット間で各部分の温度差を生じる。これにより、従来例のフルカラー画像形成装置本体では前記Ａ、Ｂの温度差もレーザ走査ユニット間で差異を生ずるが、第１の実施例のフルカラー画像形成装置では上記構成により、各レーザ走査ユニットのＡ、Ｂ間の温度差はほとんど無く、画像ステーション間の片倍率ズレも十分に小さい。
【実施例２】
【００４８】
以下、好ましい実施例に基づき、本発明の第２の実施例を説明する。
【００４９】
図７、図８は第２の実施例におけるレーザ走査ユニットの概略図であり、実施例１と同構成のデジタルフルカラー複写機に用いるものである。また、図９はスキャナケース９０と上蓋９１の一部を破断したレーザ走査ユニット１の部分斜視図である。
【００５０】
図７〜図９により本発明第２の実施例である、気流制限手段について説明する。９６はｆθレンズ１２を覆う壁を有し、ポリゴンミラー１１−１で偏向されるレーザ光線が通過する開口窓９６−１を設けた気流規制部材で、不図示の位置決め手段により位置決めされ、不図示の両面テープによりスキャナケース９０に固定される。ここで、開口窓はｆθレンズ１２の長手方向に延びることに加え、図９に示すように走査方向に従い開口量が大きくなる形状とし、連続的にｆθレンズ１２に吹き付けられる風量が増すように構成する。
【実施例３】
【００５１】
以下、好ましい実施例に基づき、本発明の第３の実施例を説明する。
【００５２】
図１０、図１１は第３の実施例におけるレーザ走査ユニットの概略図であり、実施例１と同構成のデジタルフルカラー複写機に用いるものである。
【００５３】
図１０及び図１１により本発明第３の実施例である、気流制限手段について説明する。９０−３はスキャナケース９０に設け、ポリゴンミラーで偏向されるレーザ光線を遮ることのない高さまで一様に伸ばした２つのリブからで気流案内フィンで、ポリゴンミラー１１−１から十分な距離を持ち、密閉化された空間９５内の気流の一部を滑らかにｆθレンズ１２の走査方向下流に導くように構成する。
【実施例４】
【００５４】
以下、好ましい実施例に基づき、本発明の第４の実施例を説明する。
【００５５】
図１２は第４の実施例におけるレーザ走査ユニットの概略図であり、図１４は第４の実施例のデジタルフルカラー複写機で、実施例１と同様に４つの画像ステーションが配置されたデジタルフルカラー複写機に用いるものであるが、各画像ステーションに設けるレーザ走査ユニットはポリゴンミラーを垂直方向に配置した構成であるところが第１の実施例１とは異なる。
【００５６】
ここで、レーザ走査ユニット３０１ａ〜ｄについてその詳細を説明する。レーザ走査ユニット３０１ａ〜ｄは全て同構成からなっている。３１９は光源ユニットで、３１８はシリンダーレンズで、３１１はポリゴンモータで、３１２及び３１３はレーザ光を感光ドラム上に所定のスポット径で結像するｆθレンズ、３１６はＢＤで、３１４はＢＤの為の反射ミラー、３１５はＢＤの為の結像レンズである。また、３９５はポリゴンモータ３１１を含む密閉化された空間で、スキャナケースの壁と、不図示の上蓋と、ｆθレンズ３１２と、シリンダーレンズ３１８と、全周の隙間を埋めるように設けた独立発砲のモルトプレーンからなる不図示のシール材とで覆われている。
【００５７】
また、第４の実施例の構成のレーザ走査ユニット３０１においては、熱源であるポリゴンモータ３１１が最上部に配置されているため、特にポリゴンモータの周りの雰囲気が温度上昇しやすく、図１２において反時計回りのポリゴンモータ回転により生じる気流によりｆθレンズ３１２の図中左側が温度上昇した気流を多く受ける傾向となりやすい。
【００５８】
そこで、密閉化された空間３９５において、スキャナケースと一体的に設けた連続した周囲壁３９０−１のｆθレンズ３１２近接位置に、ポリゴンミラー３１１−１で偏向されるレーザ光線が通過する開口窓３９０−２を設け、その開口形状を図１３に示すように、走査方向に大きくなるように構成し、ｆθレンズ３１２の偏昇温を防止する。
【実施例５】
【００５９】
以下、好ましい実施例に基づき、本発明の第５の実施例を説明する。
図１５、図１６は第５の実施例におけるレーザ走査ユニットの概略図であり、図１７は第５の実施例を示すデジタルフルカラープリンターの概略図である。図１７のデジタルプリンターでは第１の実施例同様に４つの画像ステーションに感光ドラム（２０２ａ２０２ｂ、２０２ｃ、２０２ｄ）、帯電手段（２０３ａ、２３ｂ、２０３ｃ、２０３ｄ）、現像手段（２０５ａ、２０５ｂ、２０５ｃ、２０５ｄ）、ドラムクリーニング手段（２０４ａ、２０４ｂ、２０４ｃ、２０４ｄ）、転写手段（２０６ａ、２０６ｂ、２０６ｃ、２０６ｄ）がそれぞれ配置されているが、レーザ走査ユニット２０１は図１５、図１６に示す構成で４本の感光ドラムを下方から同時に露光する。
【００６０】
ここで、レーザ走査ユニット２０１についてその詳細を説明する。２１９ａｂは感光ドラム２０２ａ及び２０２ｂを露光するための光源ユニットで、２１９ｃｄは感光ドラム２０２ｃ及び２０２ｄを露光するための光源ユニットで、各光源ユニットは、夫々鉛直方向に４°の相対角度を持って異なる感光ドラム走査を行う２つのレーザ光を出射する。出射されたレーザ光は、一旦各光源ユニット毎にポリゴンモータ２１１のポリゴンミラーのほぼ同位置に照射及び偏向され、ｆθレンズ２１２ａｂ、２１２ｃｄと自由曲面ミラー（２１７−２ａ、２１７−２ｃ、２１７−２ｄ、２１７−２ｃ）により各感光ドラム上に所定のスポット径で結像される。２９５はポリゴンモータ２１１を含む密閉化された空間で、スキャナケースの壁と、上蓋２９１と、ｆθレンズ２１２と、シリンダーレンズ（２１８ａｂ、２１８ｃｄ）と、各レンズと上蓋の隙間を埋めるように設けた公知のホットメルトからなるシール材２９２とで、覆われている。ここで、第５の実施例のポリゴンモータ２１１では、６面で外接円径がφ５０のポリゴンミラー２１１−１と、ブラシレスモータ２１１−２の外径がφ３０のロータ部を用いており、ポリゴンミラーの外接円径と前記ロータ部の外径の関係から、ポリゴンモータ２１１から生じる気流は図４の（ｂ）に示すように、ロータ側からポリゴンミラー側に流れる性質を持つ。
【００６１】
次に本発明第５の実施例である、気流制限手段について説明する。図１５、図１６において２９１−１は上蓋２９１に設け、ｆθレンズ２１２の上側を遮蔽する壁で、図１８に示すように、その下端２９１−２がレンズの長手方向に傾斜を有し、走査方向に従い下端２９１−２までの鉛直方向の長さが短くなるように構成し、ｆθレンズ２１２に吹付けられる風量を制限し、ｆθレンズ２１２の偏昇温を低減する。本発明第５の実施例では、前記したようにポリゴンモータ２１１の回転による鉛直方向の気流が主に下方から上方に流れるので、気流制限手段は上蓋側にのみ設ける。
【００６２】
（その他の実施例）
上記実施例では、フルカラー画像出力装置についてのみ説明したが、本件はこれに限るものではなく、片倍率変動を抑制する手段として例えばデジタル白黒プリンター等に用いてもよい。
【００６３】
また、上記実施例の気流の案内及び制限手段において、その組合せ、及び形状は画一的なものではない。
【００６４】
また、気流の案内又は制限手段を全画像ステーションに対し一様に設けたが、本件はこれに限るものではなく、画像ステーション毎に異なるもの、或いは有無を選択的に用いても良い。
【図面の簡単な説明】
【００６５】
【図１】第１の実施例におけるレーザ走査ユニットの上視概略図
【図２】第１の実施例におけるレーザ走査ユニットの正面概略断面図
【図３】第１の実施例におけるレーザ走査ユニットの部分斜視図
【図４】第１及び第５の実施例のポリゴンモータの概略図
【図５】第１の実施例を示す、デジタルフルカラー複写機の概略図
【図６】第１の実施例のレーザ走査ユニット１内の各部の表面温度
【図７】第２の実施例におけるレーザ走査ユニットの上視概略図
【図８】第２の実施例におけるレーザ走査ユニットの正面概略断面図
【図９】第２の実施例におけるレーザ走査ユニットの部分斜視図
【図１０】第３の実施例におけるレーザ走査ユニットの上視概略図
【図１１】第３の実施例におけるレーザ走査ユニットの正面概略断面図
【図１２】第４の実施例におけるレーザ走査ユニットの左視概略図
【図１３】第４の実施例における気流制限窓の開口形状を示す図
【図１４】第４の実施例を示す、デジタルフルカラー複写機の概略図
【図１５】第５の実施例におけるレーザ走査ユニットの正面概略断面図上
【図１６】第５の実施例におけるレーザ走査ユニットの上視概略図
【図１７】第５の実施例を示す、デジタルフルカラープリンターの概略図
【図１８】第５の実施例における気流制限壁の形状を示す図
【図１９】従来例におけるレーザ走査ユニットの上視概略図
【図２０】従来例におけるレーザ走査ユニットの正面概略断面図
【図２１】片倍率を示す図
【符号の説明】
【００６６】
１、１ａ〜ｄ、２０１、３０１、３０１ａ〜ｄ、５０１  レーザ走査ユニット
２、２ａ〜ｄ、２０２、２０２ａ〜ｄ  感光ドラム
３ａ〜ｄ、２０２ａ〜ｄ）  帯電手段
４ａ〜ｄ、２０４ａ〜ｄ  ドラムクリーニング手段
５ａ〜ｄ、２０５ａ〜ｄ  現像手段
８  原稿読み取り部
１０  フルカラー画像形成部
１１、２１１、３１１  ポリゴンモータ
１１−１、２１１−１、３１１−１  ポリゴンミラー
１１−２、２１１−２、３１１−２  ブラシレスモータ
１１−３、１１−５  駆動ＩＣ
１１−４  駆動基板
１２、１３、２１２ａｂ、２１２ｃｄ、３１２、３１３  ｆθレンズ
１４、２１４、３１４  ＢＤ用ミラー
１５、２１５、３１５  ＢＤ用レンズ
１６、２１６、３１６  ＢＤ
１７、２１７−１ｃ、２１７−１ｄ  反射ミラー
２１７−２ａ〜ｄ  自由曲面ミラー
１８、２１８ａｂ、２１８ｃｄ、３１８  シリンダーレンズ
１９、２１９、３１９  光源ユニット
１９−１  レーザ発行ダイオード
１９−２  駆動電気基板
１９−３  コリメータレンズ
６１  中間転写ベルト
６２  駆動ローラ
６３、６５  従動ローラ
６４  クリーニング手段
６６  転写ローラ
７０、７８、７９  給紙カセット
７１  給紙ローラ
７２、７５  搬送ローラ対
７３  レジストローラ対
７４  定着ローラ対
７６  排紙ローラ対
９０、２９０、３９０  スキャナケース
９０−１  斜面
９０−３  気流案内リブ
９０−４  絞り部
３９０−１  周囲壁
９６−１、３９０−２  開口窓
９１、２９１  上蓋
９２、２９２  シール部材
９５、２９５、３９５  密閉化空間
９６  気流規制部材
９６−１、２９１−２  開口窓
２１３  自由曲面ミラー
Ｐａ〜ｄ  画像ステーション
Ｓ  シート材
ＳＣ  走査方向
【図１】
2007233279.tif 000003
【図２】
2007233279.tif 000004
【図３】
2007233279.tif 000005
【図４】
2007233279.tif 000006
【図５】
2007233279.tif 000007
【図６】
2007233279.tif 000008
【図７】
2007233279.tif 000009
【図８】
2007233279.tif 000010
【図９】
2007233279.tif 000011
【図１０】
2007233279.tif 000012
【図１１】
2007233279.tif 000013
【図１２】
2007233279.tif 000014
【図１３】
2007233279.tif 000015
【図１４】
2007233279.tif 000016
【図１５】
2007233279.tif 000017
【図１６】
2007233279.tif 000018
【図１７】
2007233279.tif 000019
【図１８】
2007233279.tif 000020
【図１９】
2007233279.tif 000021
【図２０】
2007233279.tif 000022
【図２１】
2007233279.tif 000023